(57)【要約】【課題】外観を損なうことなく、且つ着用感の低下を生じることのない伸縮可能な衣服のウエストバンドを提供すること。【解決手段】前ポケットの上方で前布片８Ａと後布片８Ｃを２重に重ね合せ、前ポケットの切欠き４を形成し、前布片８Ａの側縁部には第１引布片１３の一端を接続し、その他端を後布片８Ｃの袋体内へ引き込むと共に、第１弾性帯材１２の一端に取り付け、第１弾性帯材１２の他端は後布片８Ｃに固着する。後布片８Ｃの側部には第２引布片１５の一端を接続し、その他端を前布片８Ａの袋体内へ引き込むと共に、第２弾性帯材１４の一端に取り付け、第２弾性帯片１４の他端は前布片８Ａに固着し、前ポケットのポケット袋４１上端は、前布片８Ａ又は後布片８Ｃのいずれかに縫合し、後布片８Ｃの側縁でポケット袋４１の裏側上端には上下方向へ延びるスリット４２を形成する。【選択図】        図２
2004308049.tif 000002
【特許請求の範囲】
【請求項１】
袋状に縫製された少なくとも前布片および後布片によって構成され、胴回り長さが伸縮可能な衣服のウエストバンドにおいて、
前ポケットの上方において前布片と後布片が２重に重ね合わせられ、この前ポケットの切欠きが形成され、
前記前布片の側縁部には第１引布片の一端が接続され、この第１引布片の他端は上記後布片の袋体内へ引き込まれると共に、第１弾性帯材の一端に取り付けられ、この第１弾性帯材の他端は後布片に固着され、
前記後布片の側部には第２引布片の一端が接続され、この第２引布片の他端は前記前布片の袋体内へ引き込まれると共に、第２弾性帯材の一端に取り付けられ、この第２弾性帯材の他端は前布片に固着され、
さらに、前記前ポケットの切欠きから連続する前ポケットのポケット袋上端は、前布片または後布片のいずれかに縫合され、前記後布片の側縁で前記ポケット袋の裏側上端には上下方向へ延びるスリットが形成されていることを特徴とする衣類のウエストバンド。
【請求項２】
第１引布片および第２引布片と第１弾性帯材および第２弾性帯材によって構成される伸縮自在部が、衣服の左右いずれにも設けられている請求項１に記載の衣服のウエストバンド。
【発明の詳細な説明】
【０００１】
【発明の属する技術分野】
本発明は、ズボンやスカ−トなどの衣服において胴回りに沿って設けられるウエストバンドに関し、詳しくは胴回り長さが伸縮可能に構成されて着用者の胴回り寸法変化に対応できる衣服のウエストバンドに関するものである。
【０００２】
【従来の技術】
着用者が太ったり痩せたりすることによって胴回り寸法が変化すると、それまで着用していたズボンやスカ−ト等の衣服がきつくなったりブカブカになって、快適に着用できなくなる。
また，一時的には食事の前後で、着用者の胴回り寸法が若干変化することによっても、前記衣服がきつくなったりブカブカに感じることがある。
【０００３】
そこで、衣服の胴回り部に形成されるウエストバンドを伸縮性を有するゴムベルトで構成したものが、実開昭６１−７５１１号公報で開示されている。
また、布製のウエストバンドの一部を切り開いて前布と後布を２重に重ね合わせ、この重ね合わせた部分にゴムベルトを架け渡すように縫着し、このゴムベルトの伸縮自在性を活用して着用者の胴回り寸法の変化に対応できるように構成したものが、特開２０００−１１９９０９号公報に開示されている。
【０００４】
【特許文献１】
実開昭６１−７５１１号公報（第１図〜第６図）
【特許文献２】
特開２０００−１１９９０９号公報（図１、図２）
【０００５】
【発明が解決しようとする課題】
ところが，上記実開昭６１−７５１１号公報に示されるウエストバンドにおいては、伸縮性のゴム製ウエストバンドと非伸縮性の布製スラックス本体を縫い合わせなければならず、縫製作業に困難を伴うと共に、製品自体にもスラックス本体にギャザ−部分ができてしまい、不要な皺や折り部により外観に不具合が生じ、商品として無価値なものとなってしまう。
【０００６】
特開２０００−１１９９０９号公報に示されるウエストバンドでは、１本のゴムベルトで前布と後布を支えることになるので、このゴムベルトは横方向へ伸びるにとどまらず、上下方向にも伸びてしまい、前布や後布の側部分が不要な位置へずれてしまって外観を損ねてしまうことがある。
また、前布および後布の側部が規制されていないので、ひらひらと位置ずれし易く、外観に支障をきたすと共に、着用感の低下（位置ずれした布片が折り重なって不快感を生じる）をもたらしてしまう。
【０００７】
そこで，本発明は、上記従来例の問題点を解決し，外観を損なうことなく，且つ着用感の低下を生じることのない伸縮可能な衣服のウエストバンドを提供することを目的とする。
【０００８】
【課題を解決するための手段】
上記目的を解決するため，本発明は、袋状に縫製された少なくとも前布片および後布片によって構成され、胴回り長さが伸縮可能な衣服のウエストバンドにおいて、前ポケットの上方において前布片と後布片が２重に重ね合わせられ、この前ポケットの切欠きが形成され、前記前布片の側縁部には第１引布片の一端が接続され、この第１引布片の他端は上記後布片の袋体内へ引き込まれると共に、第１弾性帯材の一端に取り付けられ、この第１弾性帯材の他端は後布片に固着され、前記後布片の側部には第２引布片の一端が接続され、この第２引布片の他端は前記前布片の袋体内へ引き込まれると共に、第２弾性帯材の一端に取り付けられ、この第２弾性帯材の他端は前布片に固着され、さらに前記前ポケットの切欠きから連続する前ポケットのポケット袋上端は、前布片または後布片のいずれかに縫合され、前記後布片の側縁で前記ポケット袋の裏側上端には上下方向へ延びるスリットが形成されていることを特徴とする（請求項１参照）。
【０００９】
すなわち、前布片および後布片の側部同士は、第１、第２引布片および第１、第２弾性帯材による２つの系統で連結されることにより、確実な伸縮自在性を発揮すると共に、前布片および後布片の側部が上下方向または左右方向へ不要に位置ずれするのを防止し、外観および着用感を低下することがない。
また、外部へ露出する部材は第１引布片の一部だけとなるので、弾性帯材が直接外部に露出して外観を損なうといったこともない。
【００１０】
さらに、本発明においては、第１引布片および第２引布片と第１弾性帯材および第２弾性帯材によって構成される伸縮自在部が、衣服の左右いずれにも設けられている（請求項２参照）ことが好ましい。
【００１１】
すなわち、１つのウエストバンドの左右にそれぞれ伸縮自在部を設けることにより、左右均等に収縮力が作用されるので、着用者へ不快感を生じるようなことはない。
また、２つの伸縮自在部によって伸縮差異長さを二倍確保することができ、着用者の胴回り寸法変化を大きく許容できることになる。
なお、本発明では、前記伸縮自在部は左右のいずれの一方だけでもよいのは勿論である。
【００１２】
【発明の実施の形態】
図１から図６によって本発明の実施形態を具体的に説明する。図１はズボンの一部を示す斜視説明図であり、このズボンＺの本体は左前布２Ａ、右前布２Ｂ、左後布２Ｃおよび右後布２Ｄによって構成され、これらの布を縫製することによって筒状の胴部および２本の脚部を形成する。
前記左前布２Ａと左後布２Ｃの上方部において、これらは縫着されず、前ポケットの切欠き４が形成されると共に、後に詳述するポケット袋４１を取り付けて前ポケットを形成する。なお、右前布２Ｂおよび右後布２Ｄにおいても同様に前ポケットを形成する。
さらに、左前布２Ａと右前布２Ｂは一部縫着されずに重ね合わせられ、これらの間にファスナが取り付けられて前開閉部７が形成される。
【００１３】
そして、着用者の胴回りに沿って形成されるウエストバンド１は左前布片８Ａ、左後布片８Ｃ、右前布片８Ｂ、右後布片８Ｄによって構成され、左前布片８Ａと右前布片８Ｂは縫着されずに前開閉部７を形成するために、ホックまたはホック受け部材が取り付けられて着脱自在に構成される。なお、左後布片８Ｃと右後布片８Ｄは縫着して連続される。
左前布片８Ａと左後布片８Ｃ、および右前布片８Ｂと右後布片８Ｄはそれぞれ２重に重ね合わされるだけで縫着されておらず、後述する伸縮自在部Ｓ，Ｓが各々形成される。
【００１４】
図２は左前布片８Ａと左後布片８Ｃにおける伸縮自在部Ｓを示す一部破断説明図であり、図３は図２のＩＩＩ−ＩＩＩ線断面説明図である。
図２に示すようにウエストバンド１における左後布片８Ｃは内側に、左前布片８Ａは外側にして２重に重ねられ、これらは図３に示すようにそれぞれ袋状に形成される。
【００１５】
前ポケットの切欠き４に相当する左前布片８Ａの後側の側縁部（端縁又は端縁近傍のいずれでも良い）には第１引布片１３の一端１３ｂが縫着され（Ｄかん止め）、この第１引布片１３は左後布片８Ｃに形成された穴かがり部１７を通して左後布片８Ｃの袋体の内部に挿入される。そして前記第１引布片１３の他端１３ａは第１弾性帯材１２の一端１２ｂに接続（縫着）される。この第１弾性帯材１２の他端１２ａは左後布片８Ｃの袋体内部でこれに固着（縫着）される。
したがって、左前布片８Ａと左後布片８Ｃは、上記第１引布片１３および第１弾性帯材１２を介して横方向（胴回り方向）に伸縮自在に接続される。
【００１６】
この状態であると、内側にある左後布片８Ｃの側部分（図２の左側部分）が上下方向および左右方向に位置ずれし易く安定した着用ができない。そこで、左後布片８Ｃの側部（図２においては左側）に他の伸縮自在構造を採用する。
【００１７】
すなわち、左後布片８Ｃの側部（端縁近傍又は端縁のいずれでも良い）においてこの外側に第２引布片１５の一端１５ａを縫着し、この第２引布片１５は、左前布片８Ａの内側に設けた穴かがり部１６を通して袋体内へ挿入する。そしてこの第２引布片１５の他端１５ｂを第２弾性帯材１４の一端１４ａに接続（縫着）し、第２弾性帯材１４の他端１４ｂを左前布片８Ａに固着（縫着）させる。
このように、左前布片８Ａと左後布片８Ｃを第１、第２弾性帯材による２つの伸縮自在構造を介して接続することにより、両布片８Ａ，８Ｃは左右横方向へは伸縮自在であるにもかかわらず、両布片８Ａ，８Ｃの側部分などが上下方向または左右方向へ不要に位置ずれすることなく安定して保持される。
このように、１つの伸縮自在部Ｓによって伸縮できる伸縮差異長さは、例えば１０〜９０ｍｍの範囲とすることが好ましく、より好ましくは３０−５０ｍｍとすることが推奨される。
【００１８】
第１引布片１３および第２引布片１５はズボンを形成する同じ布地を使用することが好ましく、特に外部へ露出する第１引布片１３を目立たなくすることができる。なお、これらは布地に替えて伸縮帯材とすることもできる。
第１弾性帯材および第２弾性帯材は合成ゴム糸または天然ゴムを複数本平行に並べてリボン状に形成したもの（リボン状のゴム紐）、帯状の天然ゴム材または合成ゴム材などを使用する。
第１引布片１３および第２引布片１５と第１弾性帯材および第２弾性帯材の長さ（胴回り方向の寸法）は、伸縮差異長さを基礎として設定し、その幅（上下方向の寸法）は、両布片８Ａ，８Ｃの袋体内部に収納できて自由に伸縮し、外観上目立たないものとすることが推奨される。
【００１９】
図４は図１に示したウエストバンド１を内側から見た一部破断説明図であり、前ポケットの切欠き４における内側（着用者側）の構造である。上記切欠き４の内側には表裏二重（表側面４１Ｐと裏側面４１Ｒ）に折り重ねたポケット袋４１が配設される。このポケット袋４１の１つの側縁４１ｃは左前布２Ａまたは左後布２Ｃのいずれかに縫着され、前ポケットの切欠き４を形成し、ポケット袋４１の他の側縁４１ｄおよび底縁４１ｅは自由端を構成する。
このポケット袋４１の上縁においては、表側面４１Ｐの上縁と裏側面４１Ｒの一部上縁４１ａ（図４においては右側の一部）はウエストバンド１の左前布片８Ａに縫着され、また裏側面４１Ｒの残りの上縁４１ｂは左後布片８Ｃに縫着される。
そして、前記上縁４１ａと上縁４１ｂの間には上下方向に沿って延出されるスリット４２が裏側面４１Ｒに形成される。
【００２０】
したがって、図５に示すように左前布片８Ａと左後布片８Ｃを胴回り方向へ引き延ばしたとき、ポケット袋４１は上記スリット４２を開くようにして延ばされて変形し、両布片８Ａ，８Ｃの移動を可能とする。なお、図４の符号５は後ろポケットの袋体を示す。
【００２１】
図６は左前布片８Ａと左後布片８Ｃの間、右前布片８Ｂと右後布片８Ｃの間にそれぞれ伸縮自在部Ｓ，Ｓを採用したズボンＺの展開説明図である。
すなわち、実線で示す収縮状態と、これを左右に引き延ばした鎖線で示す伸長状態を開示する。第１引布片１３、１３の存在する左前布片８Ａと左後布片８Ｃの間、右前布片８Ｂと右後布片８Ｄの間で、両布片同志は矢印方向へ伸縮して胴回り長さを変更可能とする。
【００２２】
上記ウエストバンド１はズボンに適用されるものについて説明したが、本発明はこの他ショ−トパンツやスカ−トなどの下半身用の衣服に用いることができ、さらにウエスト部分を締める構造を有するジャンパーなどの上着についても適用することができる。
また、上記実施形態においては、１つのウエストバンドに２つの伸縮自在部Ｓ，Ｓを採用した例を示したが、これに限定されることなく１つのウエストバンドにおいて１つの伸縮自在部Ｓ（１つの伸縮自在部Ｓには２本の引布片と２本の弾性帯材が使用される）だけであっても、また３以上の伸縮自在部を設けることもできる。
【００２３】
【発明の効果】
請求項１の衣服のウェストバンドによれば、ウエストバンドは前布片と後布片の間で伸縮自在であるのにも係わらず、これら前布片と後布片の一部が上下方向または左右方向のいずれにも不要な位置ずれを生じることなく、布片の側縁の一部がひらひらしてしまうようなことがなく安定した状態を保持でき、外観や着用感を低下するようなことはない。
また、外部へ露出する部材は第１引布片の一部だけであり、これも目立たなく設けることができ、しかも弾性帯材によって余計な皺や折り目が生じるようなことはなく、さらに弾性帯材が直接露出して外観を阻害するようなこともなく、美麗なウエストバンドを構成することができる。
【００２４】
請求項２の衣服のウェストバンドによれば、胴回りで左右バランスのとれた伸縮自在性が発揮され、伸縮差異長さを大きく設定できる。
【図面の簡単な説明】
【図１】本発明の実施形態の一例を示すズボンの一部破断斜視説明図である。
【図２】図１に示すウエストバンドの一部破断説明図である。
【図３】図２のＩＩＩ−ＩＩＩ線断面説明図である。
【図４】図２に相当する部位を内側から見た一部破断説明図である。
【図５】図４の引き延ばし状態を示す一部破断説明図である。
【図６】図１に示すウエストバンドの全体展開説明図である。
【符号の説明】
１  ウエストバンド
２Ａ  左前布
２Ｂ  右前布
２Ｃ  左後布
２Ｄ  右後布
４  前ポケットの切欠き
６  ベルト通し
７  前開閉部
８Ａ  左前布片
８Ｂ  右前布片
８Ｃ  左後布片
８Ｄ  右後布片
１２  第１弾性帯材
１３  第１引布片
１４  第２弾性帯材
１５  第２引布片
１８  ファスナ片
１９  ホック
２０  ホック受け
４１  ポケット袋
４２  スリット
Ｓ    伸縮自在部
Ｚ    ズボン
【図１】
2004308049.tif 000003
【図２】
2004308049.tif 000004
【図３】
2004308049.tif 000005
【図４】
2004308049.tif 000006
【図５】
2004308049.tif 000007
【図６】
2004308049.tif 000008